(57)【特許請求の範囲】
【請求項１】
所定の使用情報が記録された機器使用カードがカード挿入口に挿入され、該カード情報に基づき所望の機器の使用を行うカード式制御装置において、
前記機器は、挿入されたカードに記録された情報を読みとるカード読み取り手段と、
前記カード読み取り手段により読みとられた機器使用カードの制御情報に基づき機器制御条件を設定する条件設定手段と、
前記条件設定手段により設定された機器制御条件に基づき機器の制御を行う機器制御手段とを備え、
前記カードは、当該機器の使用可能時間を示す度数情報とともに、当該機器の制御情報が記録され、使用者が使用するプリペイドカードと、
機器使用カードとは別個に識別され、管理者が書換可能な機器制御情報を記録するマスターカードとを有し、
さらに前記カード読み取り手段にマスターカードが挿入された場合に、該マスターカードに記録された機器制御情報を使用者が使用するプリペイドカードに記録するカード書き込み手段と、
を備えたことを特徴とするカード式制御装置。
【発明の詳細な説明】
【０００１】
【発明の属する技術分野】
本発明はカード式制御装置、特にカードに記録された使用情報に基づく機器使用条件の変更方式の改良に関する。
【０００２】
【従来の技術】
たとえば、テニスコート等では夜間プレイ用の照明設備を備えたものが多いが、通常、照明には多くの費用がかかるため、昼間のコート使用料とは別途に照明費用をコート使用者より徴収する場合が多い。
この場合、コートの管理者が一律に照明制御を行うこともあるが、季節による日没時期の相違、あるいはコート使用者の好みにより、予め一定度数の書き込まれたプリペイドカードを購入する。そして、コート使用者の使用するコートに隣接して設置された照明制御装置に該プリペイドカードを挿入することにより、度数分の照明を行わせる装置が開発されており、このような装置を用いれば照明の無駄を生じることがなく、しかも照明費用の適正な負担を使用者に求めることができる。
【０００３】
【発明が解決しようとする課題】
しかしながら、このようなカード式制御装置、たとえば前述したプリペイドカード式照明制御装置では、その度数に応じた時間、所定の照明制御を行うのみであり、コートの設置場所あるいはコート管理者の要望に応じた使用条件で、カード度数に応じた照明制御を行うことはできないものであった。
本発明は前記従来技術の課題に鑑みなされたものであり、その目的は機器制御条件を容易に変更し得るカード式制御装置を提供することにある。
【０００４】
【課題を解決するための手段】
前記目的を達成するために、本発明は、カード式制御装置に挿入されるカードそのものに該制御装置の機器制御情報の少なくとも一部を記録し、カード式制御装置は、機器使用カードが挿入されると、該カードに記録された制御条件に基づき使用機器の制御を行うこととしたのである。
すなわち、本発明は、所定の使用情報が記録された機器使用カードがカード挿入口に挿入され、該カード情報に基づき所望の機器の使用を行うカード式制御装置において、
前記機器は、挿入されたカードに記録された情報を読みとるカード読み取り手段と、
前記カード読み取り手段により読みとられた機器使用カードの制御情報に基づき機器制御条件を設定する条件設定手段と、
前記条件設定手段により設定された機器制御条件に基づき機器の制御を行う機器制御手段とを備え、
前記カードは、当該機器の使用可能時間を示す度数情報とともに、当該機器の制御情報が記録され、使用者が使用するプリペイドカードと、
機器使用カードとは別個に識別され、管理者が書換可能な機器制御情報を記録するマスターカードとを有し、
さらに前記カード読み取り手段にマスターカードが挿入された場合に、該マスターカードに記録された機器制御情報を使用者が使用するプリペイドカードに記録するカード書き込み手段と、
を備えたことを特徴とする。
【０００５】
また、本発明にかかる装置において、機器使用カードは機器使用が終了すると使用済みカードとして取り込まれ、
機器使用カードとは別個に識別されるマスターカードと、
前記カード読み取り手段にマスターカードが挿入された場合に、該マスターカートに記録された機器制御情報を使用済みカードに記録するカード書き込み手段と、を備えることが好適である。
【０００６】
また、本発明にかかる装置において、
前記機器使用カードは、照明機器の使用可能時間を示す度数情報とともに、照明制御情報が記録されたプリペイドカードであり、
前記条件設定手段は、照明制御条件を設定可能に構成されたことが好適である。
【０００７】
【発明の実施の形態】
以下、図面に基づき本発明の好適な実施形態を説明する。
図１には本発明のカード式制御装置の一実施形態にかかるプリペイド式照明制御装置の概略構成が示されている。
同図に示す照明制御装置１０は、プリペイドカード１２をカード挿入口１４に挿入することにより、所定の制御条件に基づきテニスコート１６の照明設備１８，２０の照明制御を行うものである。
【０００８】
すなわち、プリペイドカード１２には、その購入額に応じて所定の度数が記録されており、該カード１２をカード挿入口１４に挿入することにより度数に応じた時間、照明設備１８，２０を作動させることができる。
この際、照明制御装置１０の表示パネル２２には現在時刻とカードの残度数（残時間）が表示されており、コート１６に隣接して装置１０を設置することで、コート使用者は容易に残時間を確認することができる。
【０００９】
一方、照明設備１８（照明設備２０も略同様の構成を有する）は、主照明灯２４と、残置灯２６と、終了予告灯２８と、殺虫器３０とを備える。そして、前記照明制御装置１０の出力信号端子３２は、各照明灯２４，２６，２８，３０のそれぞれのＯＮ／ＯＦＦを制御するリレー３４，３６，３８，４０を備える。
そして、出力信号端子３２の各灯２４，２６，２８，３０に対応した端子にそれぞれＯＮ信号が供給されると、リレー電源４２から供給される電力によりリレー３４，３６，３８，４０が作動し、対応する照明灯に照明電源４４から点灯電力が供給される。
【００１０】
通常の場合、前記照明設備１８のそれぞれの照明灯は、図２に示すようなタイムチャートに基づき点灯制御される。
同図より明らかなように、プリペイドカード１２がカード挿入口１４に挿入されると、主照明灯２４、残置灯２６及び殺虫器３０が点灯する。そして、その後の経過時間に伴いプリペイドカード１２の残度数（残時間）が減少し、時間が切れる５分前に３０秒間、終了予告灯２８が点灯する。残時間がゼロとなってから５分間はサービス時間として各照明２４，２６，３０とも点灯を続けるが、主照明灯２４はサービス時間経過後に消灯し、殺虫器３０は残時間ゼロより３０分間、残置灯２６は同じく残時間ゼロより２０分間点灯した後、消灯する。この間に使用者は後片づけを行い、コートから出ていくことになる。
【００１１】
なお、プリペイドカードの残度数がゼロとなれば、そのプリペイドカードは制御装置内に取り込み回収され、コート管理者が再度所定度数などを書き込み、未使用プリペイドカードを再生する。
ところで、たとえば残置灯２６、殺虫器３０の点灯時間、あるいは終了予告灯２８の点灯タイミングなどは、コート１６とレストハウスとの距離などにより最適時間が異なり、また複数のコート１６がある場合には、各コートによって最適時間が異なる場合もある。さらに、同度数のカードを用いた場合にも、コートのグレードにより使用可能時間を変更する場合もある。
【００１２】
一方で、そのプリペイドカードが使用できるコートに指定を行う「コート指定有無」、例えばクラブ会員用に発行されたプリペイドカードのみを使用可能とするか否かの「排他受付有無」、プリペイドカードの残時間表示を行うか否かの「残時間表示有無」、カードの回収をどの時点で行うかの「無条件飲み込み（挿入されたカードはすべて回収。途中消灯不可）」、「予告内飲み込み（予告灯点灯時刻以降は回収）」、「終了時飲み込み（残度数ゼロで回収）」、さらに回収したプリペイドカードの初期化を行うかどうかの「初期化有無」など、照明制御装置自体の基本的な動作条件に関してもその管理者の意向により、あるいは同一管理者下のコートであってもコートによって取り扱いが異なる。
【００１３】
このような場合にも、コート管理者は画一的な照明制御を行わざるを得ず、また動作条件の変更はＲＯＭの交換などが必要となり、従来、きめの細かい対応は不可能であった。
そこで本発明者は、プリペイドカード自体に制御装置の基本的な動作条件、制御情報を記録し、該プリペイドカードが挿入された制御装置がそのカードの制御情報に基づき機器を制御することとしたのである。
図３には、このような制御機構の一例が示されている。
すなわち、図３に示すカード式制御装置１０においては、カード読取手段５０と、照明制御手段５２と、使用条件設定手段５４を備える。
【００１４】
そして、使用条件設定手段５４は、コート管理者による手動入力部５６と、使用条件設定部５８と、設定プログラム、基本使用条件などを記憶しているＲＯＭ６０と、設定された改変使用条件を書換可能に記憶する書換型記憶部（ＲＡＭ）６２を備える。
ここで、プリペイドカード１２には、使用時間を規定する度数とともに、前記「コート指定有無」、「排他受付有無」、「残時間表時有無」、「カード回収条件」、「初期化有無」などの制御装置の制御情報が記憶されている。
【００１５】
そして、該プリペイドカード１２をカード挿入口１４に挿入すると、カード読み取り手段５０により該カード１２の残度数とともに、前記制御情報が読みとられ、その読み取り情報は前記使用条件設定手段５４に送られる。この指示に基づき使用条件設定手段５４は、機器使用条件をＲＡＭ６２に記憶するとともに、別途設定されているタイムチャートなどとともに、その情報を照明制御手段５２に送出する。照明制御手段５２はこの制御情報及びタイムチャートに基づき、前記プリペイドカード１２の残度数に相当する時間、照明設備１８，２０の照明制御を行う。
【００１６】
そして、残度数が残っている状態でコート使用者により強制終了が行われた場合には、カード無条件飲み込みが指示されていない限り、残度数をプリペイドカード１２に書き込み、その返却を行う。
一方、コート管理者がプリペイドカードの再生を行う場合には、本実施形態において、カード挿入口１４にマスターカード６４を挿入する。このマスターカード６４にはプリペイドカードとは異なる識別フラグが立っており、カード読み取り手段５０を介して得られた指示に基づき、使用条件設定手段５４は再生モードになったことを認識する。
【００１７】
この認識に基づき、使用条件設定部５８は装置前面の手動入力部５６よりの入力情報を受け付け、コート管理者が入力するたとえば前記サービス時間、残置灯、殺菌器等の点灯期間に基づきタイムチャートが入力可能となり、一方プリペイドカードに記録されるべき「コート指定有無」、「排他受付有無」等の制御情報をマスターカードから読み取り、該カード記載情報を使用済みカードに書き込み、新たな制御情報が書き込まれたプリペイドカードを再生する。
【００１８】
すなわち、残度数がゼロとなったプリペイドカードは、そのまま制御装置１０内に飲み込まれ、使用済みカード保存手段６８に保存される。そして、カード再生が指示されると、たとえばそのプリペイドカードが用いられる「施設番号」、「コート指定の有無」、「コート番号」、「残度数」、「予約年月日」、「使用年月日」、「カード回収条件（たとえば無条件回収、終了予告後回収、終了時回収など）」、「回収カードの初期化の有無」、「終了カード度数（通常０）」、「クラブ会員などを特定する排他受付の有無」、「残時間表示の有無」、「初期化度数」などが、各プリペイドカードに記載すべき情報としてマスターカードから読みとられるとともに、カード書込手段７０によりプリペイドカードに書き込まれ、未使用プリペイドカード７２が再生される。
【００１９】
一方、前記照明設備の制御タイムチャートなどは、そのコート特有のものである可能性が高く、このためプリペイドカードには記載されず、制御装置（ＲＡＭ６２）の保持情報として記憶される。
そして、設定が終了したらば、コート管理者はマスターカードをカード挿入口１４より抜き出し、設定を終了する。
なお、前記ＲＡＭは図示を省略したバックアップ電源によりその記憶内容を失うことがない。
以上のように本実施形態にかかるカード式制御装置によれば、コート管理者の希望に応じて制御条件の変更が可能となり、またプリペイドカードの内容は任意に書き換えられるから、たとえばコートにより単位時間あたりの限度数を設定することなども可能となる。
【００２０】
また、本実施形態にかかる装置は、たとえばそれぞれ異なる制御情報が書き込まれた複数種のプリペイドカードを用いれば、同一の制御装置に複数種の制御方式を実行させることもできる。
さらに、機器使用カードに使用可能度数のみならず、機器使用に当っての他の制御条件の書込も行われているから、制御装置の基本プログラムを変更することなく、多様な機器使用条件設定を行うことができる。
なお、以上の実施形態においては、テニスコートの照明制御に本発明のカード式制御装置を用いた例について説明したが、たとえば講堂あるいは他の施設の照明ないし他の付属設備の制御に用いることも可能である。
【００２１】
【発明の効果】
以上説明したように本発明にかかるカード式制御装置によれば、カード情報に基づき、その制御情報を任意に書き換えることとしたので、装置のＲＯＭなどを交換することなく、管理者の任意に制御状態を変更することができる。
また、カード式制御装置によるカード再生時に、マスターカードに記憶されている機器制御情報を該再生カードに書込可能としたので、同一のカードを用いつつ、管理者の任意に制御状態を変更することができる。
また、本発明にかかるカード式照明制御装置によれば、プリペイドカードにその残存度数とともに照明制御情報、制御装置の使用情報を記録したので、照明制御の使用条件を管理者が随時変更可能となり、照明のきめ細かい制御を行い得る。
【図面の簡単な説明】
【図１】本発明のカード式制御装置一実施形態にかかるプリペイドカード式照明制御装置の利用状態の説明図である。
【図２】図１に示したカード式照明制御装置のタイミングチャートの説明図である。
【図３】図１に示したカード式照明制御装置の構成説明図である。
【符号の説明】
１０    プリペイドカード式照明制御装置
１２    プリペイドカード
１８，２０    照明設備
５０  カード読取手段
５６  条件設定手段
６２  書換型記憶手段（ＲＡＭ）
６４  マスターカード
７０  カード書込手段
【図１】
0003986601.tif 000002
【図２】
0003986601.tif 000003
【図３】
0003986601.tif 000004